(57)【要約】      （修正有）【課題】他方の目地プレートの背面側に一方の目地プレートが入り込むことを防止でき、かつ、破損することなく地震による揺れ動きを吸収できる壁面用目地装置を提供する。【解決手段】躯体間の目地部を塞ぐ目地装置１であって、一方の躯体３に取付基端部がヒンジ部材５を介して設けられた一方の目地プレート６と、一方の目地プレートの自由端部に形成され、かつ、上下方向に延在する凹部７と、他方の躯体４に取付基端部がヒンジ部材５を介して設けられた他方の目地プレート８と、他方の目地プレートの自由端部に形成されているとともに、通常時において凹部に入り込む突出部９と、一方及び他方の目地プレートを常に目地部の内方へ付勢する目地プレート付勢機構１０と、一方及び他方の目地プレートが所定角度以上内方へ回転することを防止するストッパー１１とで構成されている。【選択図】図１
2020200728.tif 000002
【特許請求の範囲】
【請求項１】
一方と他方の躯体間の目地部を塞ぐ目地装置であって、前記一方の躯体に取付基端部がヒンジ部材を介して設けられた一方の目地プレートと、前記一方の目地プレートの自由端部に形成され、かつ、上下方向に延在する凹部と、前記他方の躯体に取付基端部がヒンジ部材を介して設けられた他方の目地プレートと、前記他方の目地プレートの自由端部に形成されているとともに、通常時において前記凹部に入り込む突出部と、前記一方及び他方の目地プレートを常に前記目地部の内方へ付勢する目地プレート付勢機構と、前記一方及び他方の目地プレートが所定角度以上内方へ回転することを防止するストッパーとで構成され、
前記目地プレート付勢機構は、前記他方の目地プレートの自由端部付近に一端部が固定されているとともに、前記凹部を通過する牽引手段と、前記牽引手段の他端部に取り付けられ、かつ、前記一方の目地プレートの内壁面付近に設けられた付勢具から成り、前記一方及び他方の目地プレートは、前記取付基端部よりも前記自由端部が外方に位置するように設けられている壁面用目地装置。
【請求項２】
前記一方の目地プレートは、枠状で自由端部側に傾斜面を有する前記凹部が形成された一方のフレーム部材と、前記一方のフレーム部材の少なくとも表面を覆うように設けられた一方の目地カバー部材と、前記凹部に形成され、前記牽引手段が通過する貫通孔とで構成され、
前記他方の目地プレートは、枠状で自由端部側に鋭角状の前記突出部が形成された他方のフレーム部材と、前記他方のフレーム部材の少なくとも表面を覆うように設けられた他方の目地カバー部材と、前記突出部に形成され、前記牽引手段を固定する牽引手段固定部とで構成され、
前記目地プレート付勢機構の前記付勢具は、前記一方のフレーム部材の内部に設けられていることを特徴とする請求項１に記載の壁面用目地装置。
【請求項３】
前記貫通孔付近には滑動部材が設けられていることを特徴とする請求項１又は請求項２のいずれかに記載の壁面用目地装置。
【請求項４】
前記付勢具は、おもりであり、前記一方のフレーム部材には、前記おもりを摺動可能に収納できる付勢具収納部が設けられていることを特徴とする請求項１乃至請求項３のいずれかに記載の壁面用目地装置。
【発明の詳細な説明】
【技術分野】
【０００１】
本発明は目地部を介して設けられた一方と他方の左右の躯体の壁面間の目地部を塞ぐ壁面用目地装置に関する。
【背景技術】
【０００２】
従来、壁面間の目地部を塞ぐ目地装置としては、「左右の躯体間の目地部を塞ぐ目地装置であって、前記左右の躯体にそれぞれヒンジ部材を介して設けられ、かつ、前記目地部を塞ぐことができる左右一対の目地プレートと、該目地プレートの各自由端部に形成された牽引手段を通す召合せ部と、該召合せ部にそれぞれ設けられたローラーと、前記目地プレートを常に目地部の内方へ付勢する左右の目地プレート付勢機構と、前記目地プレートが所定角度以上内方へ回転することを防止するストッパーとで構成され、前記左右の目地プレート付勢機構は、前記目地プレートにそれぞれ取り付けられた前記牽引手段と、該牽引手段にそれぞれ接続された付勢具とより成り、前記牽引手段は、その先端部が前記目地プレートにそれぞれ固定され、前記召合せ部及び前記ローラーを経由して前記付勢具に接続され、地震によって躯体が揺れ動いた場合、前記召合せ部は、前記目地プレートの各自由端部が互いに重ならないように、前記目地プレート付勢機構によって接続されており、また、前記目地プレートは、その取付基端部よりも前記自由端部が外方に位置するように設けられていることを特徴とする目地装置」が知られている（例えば特許文献１）。
【０００３】
しかしながら、このような目地装置では、左右の目地プレートに対してそれぞれ付勢機構が必要となるため構造が複雑となり、容易に施工できなかったり、コスト高となる欠点があった。
【先行技術文献】
【特許文献】
【０００４】
【特許文献１】特許第３７１８４５４号公報
【発明の概要】
【発明が解決しようとする課題】
【０００５】
本発明は以上のような従来の欠点に鑑み、容易に施工することができ、通常時は隙間なく目地部を塞ぐことができるとともに、地震によって左右の躯体が揺れ動いた場合であっても、他方の目地プレートの背面側に一方の目地プレートが入り込むことを防止でき、かつ、破損することなく地震による揺れ動きを吸収できる壁面用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の請求項１に記載の壁面用目地装置は、一方と他方の躯体間の目地部を塞ぐ目地装置であって、前記一方の躯体に取付基端部がヒンジ部材を介して設けられた一方の目地プレートと、前記一方の目地プレートの自由端部に形成され、かつ、上下方向に延在する凹部と、前記他方の躯体に取付基端部がヒンジ部材を介して設けられた他方の目地プレートと、前記他方の目地プレートの自由端部に形成されているとともに、通常時において前記凹部に入り込む突出部と、前記一方及び他方の目地プレートを常に前記目地部の内方へ付勢する目地プレート付勢機構と、前記一方及び他方の目地プレートが所定角度以上内方へ回転することを防止するストッパーとで構成され、前記目地プレート付勢機構は、前記他方の目地プレートの自由端部付近に一端部が固定されているとともに、前記凹部を通過する牽引手段と、前記牽引手段の他端部に取り付けられ、かつ、前記一方の目地プレートの内壁面付近に設けられた付勢具から成り、前記一方及び他方の目地プレートは、前記取付基端部よりも前記自由端部が外方に位置するように設けられていることを特徴とする。
【０００８】
請求項２に記載の壁面用目地装置の前記一方の目地プレートは、枠状で自由端部側に傾斜面を有する前記凹部が形成された一方のフレーム部材と、前記一方のフレーム部材の少なくとも表面を覆うように設けられた一方の目地カバー部材と、前記凹部に形成され、前記牽引手段が通過する貫通孔とで構成され、前記他方の目地プレートは、枠状で自由端部側に鋭角状の前記突出部が形成された他方のフレーム部材と、前記他方のフレーム部材の少なくとも表面を覆うように設けられた他方の目地カバー部材と、前記突出部に形成され、前記牽引手段を固定する牽引手段固定部とで構成され、前記目地プレート付勢機構の前記付勢具は、前記一方のフレーム部材の内部に設けられていることを特徴とする。
【０００９】
請求項３に記載の壁面用目地装置の前記貫通孔付近には滑動部材が設けられていることを特徴とする。
【００１０】
請求項４に記載の壁面用目地装置の前記付勢具は、おもりであり、前記一方のフレーム部材には、前記おもりを摺動可能に収納できる付勢具収納部が設けられていることを特徴とする。
【発明の効果】
【００１１】
以上の説明から明らかなように、本発明にあっては次に列挙する効果が得られる。
（１）請求項１に記載の発明においては、目地プレート付勢機構で左右の目地プレートが連結され、他方の目地プレートに、一方の目地プレートの前記凹部に入り込む突出部が形成されているため、容易に施工でき、通常時は目地部を確実に塞ぐことができるとともに、地震によって躯体が異なる前後方向に揺れ動いてもの一方（他方）目地プレートの背面側に他方（一方）の目地プレートが入り込むことを防止できる。
（２）また、目地プレートの取付基端部に対して、該目地プレートの自由端部が常に外方に位置するように設けられているので、目地部が狭くなるように揺れ動いた場合に、目地プレートや左右の躯体が破損することなく、スムーズに合掌状態となり、揺れ動きを吸収することができる。
（３）地震による揺れ動きがおさまった場合には、目地プレート付勢機構及びストッパーによって、目地プレートが目地部内方に回動して所定の位置で回動を停止させることができる。
したがって、自動で通常状態に復帰することができる。
（４）請求項２に記載の各発明においても、前記（１）〜（３）と同様な効果が得られると共に、一方のフレーム部材の内部に付勢具を設けているので、目地プレートの背面側にも化粧板等を設けることができ、美観を向上させることができる。
（５）請求項３に記載の発明においても、前記（１）〜（４）と同様な効果が得られるとともに、牽引手段が摩擦により破損等することを防止できる。
（６）請求項４に記載の発明においても、前記（１）〜（５）と同様な効果が得られるとともに、おもりが摺動可能に収納されることで、目地プレートが回動した際に、おもりが振り子のように周期運動することを防止できる。
【図面の簡単な説明】
【００１２】
図１乃至図８は本発明の第１の実施形態を示す説明図である。
図９乃至図１１は本発明の第２の実施形態を示す説明図である。
【図１】第１の実施形態の壁面用目地装置の正面図。
【図２】図１の２−２線に沿う断面図。
【図３】一方の目地プレートの説明図。
【図４】他方の目地プレートの説明図。
【図５】目地プレート付勢機構の説明図。
【図６】地震で目地部が狭くなった動作説明図。
【図７】地震で目地部が広くなった動作説明図。
【図８】地震で躯体が異なる前後方向に揺れ動いた状態の動作説明図。
【図９】第２の実施形態の壁面用目地装置の正面図。
【図１０】図９の１０−１０線に沿う断面図。
【図１１】目地プレート付勢機構の説明図。
【発明を実施するための形態】
【００１３】
以下、図面に示す本発明を実施するための形態により、本発明を詳細に説明する。
図１乃至図８に示す本発明を実施するための第１の形態において、１は目地部２を介して設けられた一方の躯体３及び他方の躯体４（左右の躯体）間に設置された壁面用目地装置である。
【００１４】
なお、左右方向とは図１（正面視）における左右方向であり、前後方向とは図２（平面視）における上下方向（正面視における奥手前方向）をいう。目地部の外方とは、躯体の外側壁面方向（図２における下方向）であり、目地部の内方とは、躯体の内側壁面方向（図２における上方向）をいう。
【００１５】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１６】
この壁面用目地装置１は、図１及び図２に示すように、左右方向の一方の躯体３及び他方の躯体４の壁面間の目地部２を略垂直状態で塞ぐ壁面用目地装置１である。
【００１７】
この壁面用目地装置１は、前記一方の躯体３に取付基端部６ａがヒンジ部材５を介して設けられた一方の目地プレート６と、前記一方の目地プレート６の自由端部６ｂに形成され、かつ、上下方向に延在する凹部７と、前記他方の躯体４に取付基端部８ａがヒンジ部材５を介して設けられた他方の目地プレート８と、前記他方の目地プレート８の自由端部８ｂに形成され、通常時において前記凹部７に入り込む突出部９と、前記一方及び他方の目地プレート６、８を常に目地部２の内方へ付勢する目地プレート付勢機構１０と、前記一方及び他方の目地プレート６、８が所定角度以上内方へ回転することを防止するストッパー１１とで構成されている。
【００１８】
一方の目地プレート６は、枠状に形成され、かつ、自由端部６ｂ側に外方向に外拡の傾斜面１２を有する凹部７が形成された一方のフレーム部材１３と、前記一方のフレーム部材１３の少なくとも表面を覆うように設けられた一方の目地カバー部材１４と、前記凹部７に形成され、目地プレート付勢機構１０の牽引手段１５が通過する貫通孔１６とで構成されている。
【００１９】
一方のフレーム部材１３は、金属等のバー部材を正面視略長方形状（矩形枠状）又は格子状に結合して形成されており、本実施形態では、正面視略矩形枠状に形成されている。この一方のフレーム部材１３の取付基端部側が前記ヒンジ部材５を介して一方の躯体３に取り付けられ、自由端部側の側面に前記凹部７が形成される。
【００２０】
この凹部７は、一方のフレーム部材１３の上端部から下端部まで達するように一連に形成されており、平面視において略逆三角形凹所のような形状（略Ｖ溝形状）に形成されている。このように傾斜面１２を有することにより、地震によって目地プレート６、８が回動した後、通常状態に復帰する際に、他方の目地プレート８の突出部９が当接状態で凹部７の頂点付近にガイドされ、スムーズに通常状態に復帰させることができる。
【００２１】
また、凹部７の一部には、一方のフレーム部材１３を略水平方向に貫通する単数又は複数の貫通孔１６が形成されており、この貫通孔１６付近には後述する目地プレート付勢機構１０の牽引手段１５が係合する滑動部材１７が設けられている。
【００２２】
一方の目地カバー部材１４は、本実施形態では、板状の金属板で一方のフレーム部材１３の表面にビスや溶接等（図示せず）によって固定される。この一方の目地カバー部材１４は、一方のフレーム部材１３の表面側だけでなく、裏面側（目地部２の内方側）にも設けてもよい。
【００２３】
他方の目地プレート８は、金属等のバー部材を正面視略長方形状（枠状）又は格子状に結合して形成された他方のフレーム部材１８と、前記他方のフレーム部材１８の少なくとも表面を覆うように設けられた他方の目地カバー部材１９と、前記突出部９に形成され、前記牽引手段１５が通過する牽引手段固定部２０とで構成されている。
【００２４】
他方のフレーム部材１８は、本実施形態では、一方のフレーム部材１３と同様に正面視略矩形枠状に形成されており、自由端部側には鋭角状、本実施形態では、一方のフレーム部材１３の受け入れ縦溝に相当する凹部７に対応するように、平面視略三角形状（略Ｖ字形状）の突出部９が形成されている。
【００２５】
他方の目地カバー部材１９は、本実施形態では、板状の金属板で他方のフレーム部材１８の表面にビスや溶接等（図示せず）によって固定される。この他方の目地カバー部材１９は、他方のフレーム部材１８の表面側だけでなく、裏面側（目地部２の内方側）にも設けてもよい。
【００２６】
この突出部９は、通常時（図１や図２の状態）において、前記凹部７に入り込み、この凹部７の傾斜面又は角部に互いに線接触又は面接触状態で嵌りあっている。
【００２７】
また、この突出部９には略水平方向に単数又は複数の凹所状の牽引手段固定部２０（例えばワイヤー用の固定部）が形成されており、この牽引手段固定部２０は前記貫通孔１６と対向するように形成されている。本実施形態においては、牽引手段固定部２０は突出部９に凹所状に形成しているが、突出部９を加工せずに固定する形態としてもよいし、例えば貫通孔等を形成して他方のフレーム部材１８の内側や他方の目地カバー部材１９の内側面等を牽引手段固定部２０として牽引手段１５の一端部を固定してもよい。
【００２８】
目地プレート付勢機構１０は、他方の目地プレート８の自由端部付近の牽引手段固定部２０にその一端部が固定され、前記突出部９及び凹部７にそれぞれ形成された貫通孔１６を通過する牽引手段１５と、前記牽引手段１５の他端部に取り付けられ、かつ、前記一方の目地プレートの内壁面付近に滑車２１を介して設けられた付勢具２２とで構成されている。
【００２９】
牽引手段１５は、ワイヤーやロープ等が用いられ、他方の目地プレート８の自由端部付近の牽引手段固定部２０にその一端部が固定されており、貫通孔１６を通過し、貫通孔１６付近に設けられた滑動部材１７にガイドされ、一方の目地プレート６の取付基端部６ａ側へ延在し、一方の目地プレート６の取付基端部６ａ付近に設けられた滑車２１に案内され、略垂直方向に方向転換し、その他端部が付勢具２２に接続されている。貫通孔１６付近に滑動部材１７を設けることにより、牽引手段１５が貫通孔１６の縁に当接して摩耗することを防止できる。
【００３０】
付勢具２２は、本実施形態においては、おもり２２が用いられ、一方のフレーム部材１３の内部（内側）に位置するように設けられており、この一方のフレーム部材１３には、前記おもりを上下方向に摺動可能に収納できる鞘状の付勢具収納部２３が設けられている。このような付勢具収納部２３を設けることにより、一方の目地プレート６が回動した際に、おもり２２が振り子のように周期運動することを防止できる。
【００３１】
なお、板状の目地プレートを用いる場合には、目地プレートの目地部２内側の側面に略当接するように付勢具２２を設けることが望ましい。
【００３２】
ストッパー１１は、本実施形態では、平面視クランク状の金具で、目地プレート６、８の取付基端部付近が当接し、所定角度以上目地部２の内方に目地プレート６、８が回動しないように、その回動を制限するものである。
目地プレート６、８は、平面視において全体としてゆるい山型形状となるようにストッパー１１が設けられている。
【００３３】
すなわち、前記一方及び他方の目地プレート６、８は、その取付基端部６ａ、８ａよりも前記自由端部６ｂ、８ｂが外方に位置するように設けられている。
【００３４】
ところで、目地部２の内方には、防水シートや防火帯（図示せず）を設けてもよい。
地震で躯体３、４が左右方向に揺れ動き目地部２が狭くなると、図６に示すように、目地プレート６、８の自由端部６ｂ、８ｂには荷重が加わり、目地プレート６、８は平面視において略山型形状となるように設けられているため、左右の躯体３、４の外側壁面方向へ力が加わる。これにより、目地プレート６は目地プレート付勢機構１０の付勢力に抗して外側へ回転して合掌状態となり、揺れ動きを吸収する。地震による揺れ動きが収まると、目地プレート付勢機構１０の付勢力によって目地プレート６、８は、元の状態に自動的に戻る。
【００３５】
このとき、他方の目地プレート８の突出部９は、一方の目地プレート６の凹部７の傾斜面１２にガイドされ、スムーズに通常状態に復帰する。
【００３６】
地震で躯体３、４が左右方向に揺れ動き目地部２が広くなると、図７に示すように、目地プレート６が離間して揺れ動きを吸収し、地震による揺れ動きが収まると、元の状態に自動的に戻る。
【００３７】
地震で躯体３、４が異なる前後方向に揺れ動くと、図８に示すように、目地プレート付勢機構１０の付勢力によって他方の目地プレート８は外側に回転し揺れ動きを吸収し、地震による揺れ動きが収まると、元の状態に自動的に戻る。
【００３８】
このとき、目地プレート付勢機構１０の牽引手段１５が一方及び貫通孔１６を通過しているため、一方の目地プレート６（他方の目地プレート８）の背面側に他方の目地プレート８（一方の目地プレート６）が入り込むことを防止できる。
【００３９】
また、他方の目地プレート８の突出部９は、一方の目地プレート６の凹部７の傾斜面１２にガイドされ、スムーズに通常状態に復帰させることができる。
【００４０】
なお、一方の躯体が他方の躯体よりも内側方向に揺れ動いた場合には、一方の目地プレート６は前述の他方の目地プレート８と同様に、地震による揺れ動きを吸収する。
【００４１】
[発明を実施するための異なる形態]
次に、図９乃至図１１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４２】
図９乃至図１１に示す本発明を実施するための第２の形態において、前記本発明を実施するための第１の形態と主に異なる点は、付勢具２２Ａとしてコイルスプリングを用いた目地プレート付勢機構１０Ａとした点で、このような目地プレート付勢機構１０Ａを用いた壁面用目地装置１Ａにしても、前記本発明を実施するための第１の形態と同様の作用効果を得ることができる。
【００４３】
なお、ストッパーとして、前記特許文献１に用いられているブラケットのような部材を用いてもよい。本発明の実施形態においては、目地プレートの背面にストッパーを取り付けたが、ヒンジ部材、躯体の内側壁面等にストッパーを取り付けてもよい。
【００４４】
本発明の実施形態においては、付勢具としておもりやコイルスプリングを用いるものについて説明したが、これらの代わりにゼンマイバネ等を付勢具としてもよい。
【００４５】
また、目地プレート付勢機構は、滑車を介して牽引手段を略鉛直方向に方向転換させて付勢具を取り付けているが、牽引手段を鉛直方向以外に方向転換させてもよい。
さらに、牽引手段を方向転換させる滑車を複数個用いてもよいし、コイルスプリング等のバネを用いる場合には、滑車を用いなくてもよい。
【産業上の利用可能性】
【００４６】
本発明は壁面用目地装置を製造する産業で利用される。
【符号の説明】
【００４７】
１、１Ａ：壁面用目地装置、          ２：目地部、
３：一方の躯体、                    ４：他方の躯体、
５：ヒンジ部材、                    ６：一方の目地プレート、
７：凹部、                          ８：他方の目地プレート、
９：突出部、                        １０、１０Ａ：目地プレート付勢機構、
１１：ストッパー、                  １２：傾斜面、
１３：一方のフレーム部材、          １４：一方の目地カバー部材、
１５：牽引手段、                    １６：貫通孔、
１７：滑動部材、                    １８：他方のフレーム部材、
１９：他方の目地カバー部材、        ２０：牽引手段固定部、
２１：滑車、                        ２２、２２Ａ：付勢具、
２３：付勢具収納部。
【図１】
2020200728.tif 000003
【図２】
2020200728.tif 000004
【図３】
2020200728.tif 000005
【図４】
2020200728.tif 000006
【図５】
2020200728.tif 000007
【図６】
2020200728.tif 000008
【図７】
2020200728.tif 000009
【図８】
2020200728.tif 000010
【図９】
2020200728.tif 000011
【図１０】
2020200728.tif 000012
【図１１】
2020200728.tif 000013